(57)【要約】【課題】  メディアを選択する必要がなく、状態にあったコンテンツを再生する事が可能となりリラクゼーションの効果を最大に引き出すこと。【解決手段】  装置の操作であるスイッチやランプの制御手段により再生指示を検出することにより、温度を検出手段で温度を検出し、湿度検出手段で湿度を検出し、月日、時間を計測する時計手段により、月日、時間情報を取得し、時間、温度、湿度からコンテンツを選択する選択手段により再生するコンテンツをコンテンツデータを蓄積しておく記憶手段から選択しコンテンツの画像データを画像表示する画像表示手段により画像を表示し、コンテンツの音声データを音声出力するAudio制御手段によりAudio出力することによりリラクゼーションビデオ表示装置における新たなコンテンツの選択方法とした。【選択図】  図１
2010008500.tif 000002
【特許請求の範囲】
【請求項１】
装置の操作であるスイッチやランプの制御手段により再生指示を検出することにより、温度を検出手段で温度を検出し、湿度検出手段で湿度を検出し、月日、時間を計測する時計手段により、月日、時間情報を取得し、時間、温度、湿度からコンテンツを選択する選択手段により再生するコンテンツをコンテンツデータを蓄積しておく記憶手段から選択し、コンテンツの画像データを画像表示する画像表示手段により画像を表示し、コンテンツの音声データを音声出力するAudio制御手段によりAudio出力することを特徴とするリラクゼーションビデオ表示装置。
【発明の詳細な説明】
【技術分野】
【０００１】
本発明は、画像表示装置に関し、特にリラクゼーションに関するものである。
【背景技術】
【０００２】
従来は、画像表示装置において、リラクゼーションのコンテンツを表示する時には使用者はハードディスク等内蔵の記憶部にある場合は、装置のメニューからの操作によりコンテンツを選択していた。使用者の選択したいコンテンツがCD等にある場合はメディアを挿入し動作を開始していた。
【０００３】
上記の例として、下記特許文献１をあげることが出来る。
【特許文献１】特開平07-005800号公報
【発明の開示】
【発明が解決しようとする課題】
【０００４】
リラクゼーション装置は、当然、使用者が疲労しているときに使用頻度が高くなる。このような疲労している状態では、コンテンツを選択することですら面倒な作業と感じてしまう。よって、目先にあったコンテンツを動作させてしまう可能性が高く、状況に応じ効果の高いリラクゼーションのコンテンツが選択されておらず、効果が有効に現れないといった問題点があった。本発明は、メディアを選択する必要がなく、状態にあったコンテンツを再生する事が可能となりリラクゼーションの効果を最大に引き出すことを目的とする。
【課題を解決するための手段】
【０００５】
本発明は、装置の操作であるスイッチやランプの制御手段により再生指示を検出することにより、温度を検出手段で温度を検出し、湿度検出手段で湿度を検出し、月日、時間を計測する時計手段により、月日、時間情報を取得し、時間、温度、湿度からコンテンツを選択する選択手段により再生するコンテンツをコンテンツデータを蓄積しておく記憶手段から選択しコンテンツの画像データを画像表示する画像表示手段により画像を表示し、コンテンツの音声データを音声出力するAudio制御手段によりAudio出力することによりリラクゼーションビデオ表示装置における新たなコンテンツの選択方法を可能としたものである。
【発明の効果】
【０００６】
以上説明したように、本発明によれば、使用者はリラクゼーションのコンテンツを自分で選ぶことなく装置が季節、時間、温度、湿度と言った条件から最適なコンテンツを自動選択してくれることにより最大のリラクゼーション効果を得ることが可能となる。
【発明を実施するための最良の形態】
【０００７】
次に、本発明の詳細を実施例の記述に従って説明する。
【実施例１】
【０００８】
図1は、本実施例のリラクゼーション画像表示装置の構成図である。
【０００９】
ハードディスク100はコンテンツデータを蓄積している記憶部、101は装置内にある温度計、102は装置内にある湿度計、103は室外の温度を計測する室外温度計、104は室外の湿度を計測する室外湿度計、105は各温度計と湿度計を制御する温度、湿度検知制御部、106は月、日、時間が計測可能な時計部、107は音声を制御するAudio制御部、108はAudioのためのスピーカであり本実施例ではテレビを使用し音声入力端子により接続している。111は表示するためのテレビであり、表示装置(110)、スピーカ(108)を有する。109は表示装置(110)に画像を表示するための表示制御部であり本実施例ではテレビ111の映像入力端子に接続している。112は装置全体を制御する装置制御部である。113は使用者が装置を操作するための操作制御部であり、Keyスイッチ、LEDを有する。
【００１０】
図2は本装置においてコンテンツ選択する動作フローである。S200では、操作制御部(113)の、再生指示ボタンであるKeyスイッチが押されたか常時監視しており、押された事が検出されるとS201の処理を行う。S201では、装置内の温度計101と室外温度計103により温度を測定する。室外温度計103についてはオプションであり、ない場合もありうる。S202では、装置内の湿度計102と104室外湿度計により湿度を測定する。104の室外湿度計についてはオプションであり、ない場合もありうる。S203では、時計部(106)により現在時刻を確認する。S204では、温度、湿度、時計の情報から最適と思われる、リラクゼーションのコンテンツを選択する。選択方法については後述の図３、図４において詳細に説明する。S204で選択された、リラクゼーションのコンテンツのデータは記憶部であるハードディスク(100)から表示制御部(109)、Audio制御部(107)へ逐次転送され、テレビ(111)で再生される。
【００１１】
S204における、コンテンツの選択アルゴリズムを説明する。本実施例のアルゴリズムは一例であり他のアルゴリズムでもなんら問題ない。
【００１２】
図３はコンテンツを選択する為のコンテンツ評価テーブルである。
【００１３】
S300はコンテンツ名称を示す列であり、S301は月毎のコンテンツの評価ポイントを示す列であり、S302はコンテンツを再生する時間帯の評価を○×で示しており、時間帯は朝、昼、夜の３分割して表示している。時間帯の設定は任意に設定可能であるが、本実施例では、5:00〜9:00を朝、9:00〜18:00を昼、18:00〜5:00を夜としている。S303は不快指数による評価を示す列であり、不快指数を69以下、70〜74、75〜79、80〜85、86以上の５段階に分け、コンテンツを鑑賞するにあたり適しているか○△×の3段階評価をしている。
【００１４】
図４はコンテンツ選択のための評価フローの一例である。
【００１５】
S400は図３の評価テーブルにしたがい、時間帯から○であるコンテンツを抽出する。
【００１６】
S401はS400で抽出されたコンテンツを評価テーブルの月の列のポイントに従いポイント順位をつける。S402はポイント順位の1位が、一つのコンテンツであれば、選択されたものとし、S410の処理を行う。同じポイントで1位が複数ある場合はS403の処理を行う。S403はハードディスク(100)にもっている平年の月別平均温度データである前月と次月の平均温度と現在の測定温度を比較する。測定温度は前月に近ければS404の処理を行い、次月に近ければS405の処理を行う。S404は複数ある1位のコンテンツを評価テーブルの前月の列のポイントに従いポイント順位をつける。S405は複数ある1位のコンテンツを評価テーブルの次月の列のポイントに従いポイント順位をつける。S406はポイント順位の1位が、一つのコンテンツであれば、選択されたものとし、S410の処理を行う。同じポイントで1位が複数ある場合はS407の処理を行う。S407は湿度を測定し、S403で測定した温度により、不快指数を求める。評価テーブルのS304の列を使用し、評価する。S408は不快紙数の評価で最高の評価を得たコンテンツが一つであればS410の処理を行い、複数あればS409の処理を行う。S409は選択されているコンテンツからランダムに一つ抽出し再生を行う。S410は選択されているコンテンツの再生を行う。
【００１７】
具体的な一例により上記評価フローの動作を以下に説明する。
【００１８】
5月の15日  午前9:00 、温度 25℃  湿度65％の状態で再生ボタンが押されたとすると本装置は朝の時間帯に向いているコンテンツを検索する。時間帯の検索により、SeaSight.mpg、Foll.mpg、SnowMt.mpg、FallenLeaves.mpg、SeaOfClouds.mpg、SummerFlower.mpgが選択され、5月のポイントを確認すると、SeaSight.mpgが3点、Foll.mpgが5点、SnowMt.mpgが2点、FallenLeaves.mpgが1点、SeaOfClouds.mpgが4点、SpringFlower.mpgが5点、AutomnFlower.mpgが1点、SummerFlower.mpgが3点、、であり、Foll.mpgと, SpringFlower.mpgが同じポイントとなる。現状の温度、湿度により、4月と6月のどちらに天候が近いか確認すると、5月の平均温度より高く6月に近いことがわかる。よって図３の評価テーブルの評価月を6月とし再度評価を行うと Foll.mpgが5点、SpringFlower.mpgが4点となりFoll.mpgが選択される。ここでコンテンツが一つに絞られたことを確認しFoll.mpgの再生を行う。
【図面の簡単な説明】
【００１９】
【図１】本発明の実施例構成図である。
【図２】コンテンツ選択フローである。
【図３】評価テーブルの一例である。
【図４】評価フローの一例である。
【符号の説明】
【００２０】
101、100  ハードディスク… 温度計
102  湿度計… 室外温度計
103  室外湿度計
104  温度、湿度検知制御部
105  時計部
106  Audio制御部
107  スピーカ
108  表示制御部
109  表示装置
110  テレビ
111  装置制御部
112  操作制御部
【図１】
2010008500.tif 000003
【図２】
2010008500.tif 000004
【図３】
2010008500.tif 000005
【図４】
2010008500.tif 000006